(57)【要約】【課題】  パッキンの開閉体からの外れを防止してケース体と開閉体の間の良好な防水性能を確保する。【解決手段】  開口部が形成されたケース体と、開口部を開閉する開閉体と、少なくともケース体と開閉体の間の防水を図るパッキンとを備え、開閉体はケース体の内部に挿入されるトレーとトレーに取り付けられた蓋体とを有し、パッキンにトレーと蓋体によって挟持される被挟持部が設けられた。これにより、パッキンの被挟持部がトレーと蓋体によって挟持され、開口部の開放時にパッキンが開閉体に取り付けられた状態が保持されてケース体がパッキンから離隔されるため、パッキンの開閉体からの外れを防止してケース体と開閉体の間の良好な防水性能を確保することができる。【選択図】図４
2017220514.tif 000002
【特許請求の範囲】
【請求項１】
開口部が形成されたケース体と、
前記開口部を開閉する開閉体と、
少なくとも前記ケース体と前記開閉体の間の防水を図るパッキンとを備え、
前記開閉体は前記ケース体の内部に挿入されるトレーと前記トレーに取り付けられた蓋体とを有し、
前記パッキンに前記トレーと前記蓋体によって挟持される被挟持部が設けられた
防水構造。
【請求項２】
前記開閉体が前記ケース体に移動自在に支持され前記開閉体が前記ケース体に対して挿入可能及び引出可能とされた
請求項１に記載の防水構造。
【請求項３】
前記パッキンには弾性変形された状態で前記ケース体に密着される密着部が設けられ、
前記パッキンにおける前記開口部を形成する周面に、前記開閉体の移動時に前記密着部が非接触とされる非接触部と、前記開閉体による前記開口部の閉塞時に前記密着部が密着される接触部とが形成され、
前記非接触部が前記接触部より前記ケース体に対する前記開閉体の挿入口側に位置された
請求項２に記載の防水構造。
【請求項４】
前記密着部が前記開閉体の移動方向に対して傾斜された
請求項３に記載の防水構造。
【請求項５】
前記蓋体には前記パッキンを前記トレーに押し付ける方向へ押さえる押さえ面が形成された
請求項１、請求項２、請求項３又は請求項４に記載の防水構造。
【請求項６】
前記パッキンに前記蓋体と前記トレーの間の防水を図る防水突部が設けられた
請求項１、請求項２、請求項３、請求項４又は請求項５に記載の防水構造。
【請求項７】
請求項１乃至請求項６の何れかに記載の防水構造を備えた
電子機器。
【発明の詳細な説明】
【技術分野】
【０００１】
本発明は、少なくともケース体とケース体の開口を開閉する開閉体との間の防水を図る防水構造及びこれを備えた電子機器についての技術分野に関する。
【先行技術文献】
【特許文献】
【０００２】
【特許文献１】特開２０１５−１７６９１８号公報
【背景技術】
【０００３】
開口部を有するケース体と開口部を開閉するトレーや蓋等の開閉体とを有し、ケース体の内部に収容物が収容された状態においてケース体と開閉体の間の防水を図る防水構造を有する電子機器がある（例えば、特許文献１参照）。
【０００４】
特許文献１に記載された電子機器は、電池が収容されるケース体とケース体の開口部を開閉する開閉体（特許文献１では「電池蓋」）と防水を図るためのパッキンとを備えている。パッキンはケース体の内部に配置され、パッキンによってケース体と開閉体の間の防水が図られている。
【発明の概要】
【発明が解決しようとする課題】
【０００５】
ところで、上記のようなパッキンを用いた防水構造においては、パッキンが弾性変形可能なゴム材料等によって形成されているため、ケース体から開閉体を取り外すときにパッキンがケース体に貼り付いてパッキンが開閉体から外れてしまう可能性がある。
【０００６】
パッキンが開閉体から外れてしまうと、パッキンの防水機能が損なわれケース体と開閉体の間の防水性能が低下してしまう。
【０００７】
そこで、本発明の防水構造及び電子機器は、上記した問題点を解決し、パッキンの開閉体からの外れを防止してケース体と開閉体の間の良好な防水性能を確保することを課題とする。
【課題を解決するための手段】
【０００８】
第１に、本発明に係る防水構造は、開口部が形成されたケース体と、前記開口部を開閉する開閉体と、少なくとも前記ケース体と前記開閉体の間の防水を図るパッキンとを備え、前記開閉体は前記ケース体の内部に挿入されるトレーと前記トレーに取り付けられた蓋体とを有し、前記パッキンに前記トレーと前記蓋体によって挟持される被挟持部が設けられたものである。
【０００９】
これにより、パッキンの被挟持部がトレーと蓋体によって挟持され、開口部の開放時にパッキンが開閉体に取り付けられた状態が保持されてパッキンがケース体から離隔される。
【００１０】
第２に、上記した本発明に係る防水構造においては、前記開閉体が前記ケース体に移動自在に支持され前記開閉体が前記ケース体に対して挿入可能及び引出可能とされることが望ましい。
【００１１】
これにより、開閉体がケース体に対して移動されて蓋体によって開口部が開閉される。
【００１２】
第３に、上記した本発明に係る防水構造においては、前記パッキンには弾性変形された状態で前記ケース体に密着される密着部が設けられ、前記パッキンにおける前記開口部を形成する周面に、前記開閉体の移動時に前記密着部が非接触とされる非接触部と、前記開閉体による前記開口部の閉塞時に前記密着部が密着される接触部とが形成され、前記非接触部が前記接触部より前記ケース体に対する前記開閉体の挿入口側に位置されることが望ましい。
【００１３】
これにより、開閉体がケース体に対して移動されるときに密着部がケース体に接触されない移動区間が存在する。
【００１４】
第４に、上記した本発明に係る防水構造においては、前記密着部が前記開閉体の移動方向に対して傾斜されることが望ましい。
【００１５】
これにより、密着部が接触部と接触されるときに弾性変形し易くなる。
【００１６】
第５に、上記した本発明に係る防水構造においては、前記蓋体には前記パッキンを前記トレーに押し付ける方向へ押さえる押さえ面が形成されることが望ましい。
【００１７】
これにより、パッキンが蓋体によってトレーに押し付けられる方向へ押さえられる。
【００１８】
第６に、上記した本発明に係る防水構造においては、前記パッキンに前記蓋体と前記トレーの間の防水を図る防水突部が設けられることが望ましい。
【００１９】
これにより、防水突部が蓋体又はトレーの少なくとも一方に密着されて蓋体とトレーの間の防水が図られる。
【００２０】
第７に、本発明に係る電子機器は、防水構造を有する電子機器であって、開口部が形成されたケース体と、前記開口部を開閉する開閉体と、少なくとも前記ケース体と前記開閉体の間の防水を図るパッキンとを備え、前記開閉体は前記ケース体の内部に挿入されるトレーと前記トレーに取り付けられた蓋体とを有し、前記パッキンに前記トレーと前記蓋体によって挟持される被挟持部が設けられたものである。
【００２１】
これにより、パッキンの被挟持部がトレーと蓋体によって挟持され、開口部の開放時にパッキンが開閉体に取り付けられた状態が保持されてパッキンがケース体から離隔される。
【発明の効果】
【００２２】
本発明の防水構造及び電子機器は、パッキンの被挟持部がトレーと蓋体によって挟持され、開口部の開放時にパッキンが開閉体に取り付けられた状態が保持されてケース体がパッキンから離隔されるため、パッキンの開閉体からの外れを防止してケース体と開閉体の間の良好な防水性能を確保することができる。
【図面の簡単な説明】
【００２３】
【図１】図２乃至図１４と共に本発明の防水構造及び電子機器を示すものであり、本図は、電子機器の斜視図である。
【図２】開閉体がケース体から引き出された状態を電池とともに示す電子機器の斜視図である。
【図３】電子機器の分解斜視図である。
【図４】回転ダイヤルや蓋体等の左右方向における中央を示す拡大垂直断面図である。
【図５】回転ダイヤルと開閉体の前端部とを示す分解斜視図である。
【図６】蓋体の後面側を示す拡大斜視図である。
【図７】回転ダイヤルの後面側を示す拡大斜視図である。
【図８】回転ダイヤルがロック位置にある状態を示す正面図である。
【図９】回転ダイヤルがロック解除位置にある状態を示す正面図である。
【図１０】開閉体が開放位置にある状態を一部を断面にして示す平面図である。
【図１１】開閉体が閉塞位置にある状態を一部を断面にして示す平面図である。
【図１２】開閉体の移動時にパッキンの密着部が非接触部の内側にある状態を示す拡大垂直断面図である。
【図１３】開閉体の移動時にパッキンの密着部が傾斜部に接した状態を示す拡大垂直断面図である。
【図１４】開閉体が閉塞位置に移動されパッキンの密着部が接触部に密着された状態を示す拡大垂直断面図である。
【発明を実施するための形態】
【００２４】
以下に、本発明の防水構造及びこれを備えた電子機器を実施するための形態を添付図面に従って説明する。
【００２５】
以下に示す実施の形態は、本発明の電子機器を通信装置に適用し、本発明の防水構造を通信装置に備えられた防水構造に適用したものである。
【００２６】
但し、本発明の適用範囲は通信装置及び通信装置に備えられた防水構造に限られることはなく、通信装置以外の他の各種の電子機器及びこれらの電子機器に備えられた防水構造に広く適用することができる。
【００２７】
電子機器はケース体とケース体に対して挿入可能及び引出可能とされて移動される開閉体とを備えている。以下の電子機器の説明にあっては、開閉体の移動方向を前後方向とし、挿入方向を後方とし引出方向を前方として前後上下左右の方向を示すものとする。但し、以下に示す前後上下左右の方向は説明の便宜上のものであり、本発明の実施に関しては、これらの方向に限定されることはない。
【００２８】
尚、以下に示す電子機器にあっては、例えば、壁掛け等の状態で使用されることもあり、この場合には、開閉体の移動方向が上下方向とされて使用される。
【００２９】
＜電子機器の構成＞
先ず、電子機器１の構成について説明する（図１乃至図９参照）。
【００３０】
電子機器１はケース体２と開閉体３と回転ダイヤル４を有している（図１乃至図３参照）。電子機器１は、例えば、農業用の車両等との間での通信を行う通信装置として用いられる。
【００３１】
ケース体２はベース部５とカバー部６が上下で結合されて成る。
【００３２】
ベース部５は上方に開口された箱状に形成され、底面部７と前面部８と後面部９と側面部１０、１０を有している。底面部７の上面には前後に延びるガイドレール７ａ、７ａが左右に離隔して設けられている。底面部７の一方の側部にはダンパーギヤ１１が回転自在に支持されている。ダンパーギヤ１１はオイルによって回転に対する負荷が付与されている。
【００３３】
ベース部５には前面部８の左右両端部を除く部分から後方に突出された枠状の突状部１２が設けられている。
【００３４】
ベース部５には前面部８から突状部１２に亘る位置に開口部１３が形成され、開口部１３は前後に貫通された横長の形状に形成されている。開口部１３には後端部に前方を向く枠状の面が形成され、この面が受け面１３ａとして形成されている。
【００３５】
開口部１３を形成する周面（内周面）１４は受け面１３ａの前側の部分が前側から順に非接触部１４ａ、傾斜部１４ｂ及び接触部１４ｃとして形成されている（図４参照）。非接触部１４ａは接触部１４ｃより一回り大きくされている。また、傾斜部１４ｂは後方へ行くに従って内方に変位するように傾斜されている。傾斜部１４ｂは前端が非接触部１４ａの後端に一致され後端が接触部１４ｃの前端に一致されている。
【００３６】
開口部１３の前端は開閉体３が挿入される挿入口１５として形成されている。
【００３７】
前面部８にはそれぞれロック部として機能するロック孔１６、１６が上下に離隔して形成されている。ロック孔１６、１６は上下に貫通され前面部８の左右方向における中央部に形成されている。
【００３８】
後面部９の前面には図示しない接続端子が取り付けられている。
【００３９】
カバー部６は下方に開口された箱状に形成され、ベース部５に上方から取り付けられる（図１及び図２参照）。カバー部６の上面には操作部６ａ、６ａ、・・・と表示部６ｂが配置されている。操作部６ａ、６ａ、・・・が操作されることにより、例えば、所定の信号の送受信やモードの切替等が行われる。表示部６ｂには操作部６ａ、６ａ、・・・の操作状態等が表示される。
【００４０】
カバー部６の内面には図示しない制御用基板が取り付けられている。制御用基板は後面部９の前面に取り付けられた接続端子に接続されている。制御用基板によって操作部６ａ、６ａ、・・・に対する操作に応じた通信制御等が行われる。
【００４１】
カバー部６の前面にはコネクター端子６ｃが設けられ、コネクター端子６ｃは制御用基板に接続されている。コネクター端子６ｃには図示しない同軸ケーブル等の接続線が接続される。
【００４２】
開閉体３はトレー１７と蓋体１８を有している（図２及び図３参照）。
【００４３】
トレー１７は上方に開口された箱状に形成され、底板部１９と前板部２０と枠状部２１と側板部２２、２２と後板部２３を有している。トレー１７の内部空間は配置空間１７ａとして形成されている。
【００４４】
底板部１９の前端寄りの位置には左右方向を向く板状の導入壁１９ａ、１９ａが左右に離隔して設けられている。導入壁１９ａ、１９ａの前端は前板部２０の後面に連続されている。底板部１９の下面には前後方向に延びる図示しない被ガイド部が左右に離隔して設けられている。
【００４５】
前板部２０にはネジ挿通孔２０ａ、２０ａが左右に離隔して形成されている（図５参照）。枠状部２１は前板部２０の外周寄りの部分から前方に突出され、外形状が前板部２０の外形状より一回り小さくされている（図４及び図５参照）。従って、前板部２０の外周部は枠状部２１の外周側に位置され、この枠状部２１の外周側の部分における前端部が受部２４として設けられている。受部２４の内周部には前方に開口された挿入凹部２４ａが形成されている。
【００４６】
枠状部２１の前面は挟持面２１ａとして形成されている。
【００４７】
側板部２２、２２には内方に突出されたそれぞれ二つずつの押さえリブ２２ａ、２２ａ、・・・が前後に離隔して設けられている（図３及び図５参照）。側板部２２、２２の後端部には係合突部２５、２５が設けられ、係合突部２５、２５は後端部が略左右に変位する方向へ弾性変形可能とされている。係合突部２５、２５の後端部にはそれぞれ側方（外方）に突出された係合爪２５ａ、２５ａが設けられている。一方の側板部２２の外面には前後に延びるラック部２６が設けられている。
【００４８】
後板部２３には前後に貫通された横長の電池挿通孔２３ａが形成されている。
【００４９】
蓋体１８は横長の略矩形状に形成され、閉塞部２７とフロント板部２８、２８と枠状突部２９を有している（図４乃至図６参照）。
【００５０】
閉塞部２７は横長の略矩形の板状に形成されたベース板部３０とベース板部３０の外周部から後方に突出された外側突部３１とを有している。
【００５１】
ベース板部３０の左右方向における中央の部分の前面には前方に突出された円環状の支持環部３０ａが設けられている。ベース板部３０には支持環部３０ａの外周側に前方に突出されたストッパー部３０ｂ、３０ｂが周方向に離隔して設けられ、ストッパー部３０ｂ、３０ｂは円弧状に形成されている。ベース板部３０には支持環部３０ａの内側に前後に貫通された挿通孔３０ｃが形成されている。
【００５２】
外側突部３１の後端部における外周部には押さえ突部３２、３２、・・・が周方向に離隔して設けられている。押さえ突部３２には外側突部３１の外周側から内周側に向かうに従って前方に変位するように傾斜された押さえ面３２ａが形成されている。外側突部３１の後面のうち押さえ突部３２の内周側の面は後方を向く挟持面３１ａとして形成されている。
【００５３】
尚、上記には、外側突部３１に複数の押さえ突部３２、３２、・・・が周方向に離隔して設けられている例を示したが、外側突部３１の全周に環状の一つの押さえ突部３２が設けられていてもよい。
【００５４】
フロント板部２８、２８は略正方形状に形成されベース板部３０の前側に設けられ、左右に離隔しストッパー部３０ｂ、３０ｂの左右両側に位置されている。
【００５５】
枠状突部２９は横長の略矩形の枠状に形成され、ベース板部３０から後方に突出されている。枠状突部２９は外側突部３１の内側において外側突部３１と離隔して設けられ、後端が外側突部３１の後端より後方に位置されている。
【００５６】
蓋体１８にはベース板部３０の後面から後方に突出されたネジ止めボス３３、３３が左右に離隔して設けられている。ネジ止めボス３３、３３は枠状突部２９の内側に位置されている。
【００５７】
蓋体１８はパッキン３４を介してトレー１７に取り付けられ、蓋体１８がトレー１７に取り付けられることにより開閉体３が構成される（図３乃至図５参照）。パッキン３４は横長の略矩形の枠状に形成されている。
【００５８】
パッキン３４は、厚み方向が上下方向又は左右方向にされ幅方向が前後方向にされた横長の枠状の外嵌部３５と、外嵌部３５の前端部から内方に突出され厚み方向が前後方向にされた被挟持部３６と、外嵌部３５の外周面から突出された密着部３７とがゴム材料等によって一体に形成されて成る。
【００５９】
外嵌部３５の前端部における外面は被押さえ面３５ａとして形成され、被押さえ面３５ａは前方へ行くに従って内方へ変位する傾斜面に形成されている。外嵌部３５の後端部は挿入部３５ｂとして設けられている。
【００６０】
被挟持部３６の前面には前方に突出され周方向に延びる防水突部３６ａが設けられている。
【００６１】
密着部３７は外嵌部３５における挿入部３５ｂの前側の部分から前斜め外方に突出され先端に近付くに従って厚みが薄くなる形状に形成されている。
【００６２】
パッキン３４は外嵌部３５が枠状部２１に外嵌されてトレー１７に取り付けられる。
【００６３】
パッキン３４がトレー１７に取り付けられた状態において、蓋体１８が前側からパッキン３４に押し付けられ、トレー１７の前板部２０に形成されたネジ挿通孔２０ａ、２０ａにそれぞれ挿入された取付ネジ１００、１００がネジ止めボス３３、３３に螺合され、蓋体１８がトレー１７にパッキン３４を介して取り付けられる（図２乃至図４参照）。蓋体１８は枠状突部２９がトレー１７の枠状部２１の内側に挿入され、枠状突部２９の後面が前板部２０の前面に当接又は近接して位置される。
【００６４】
蓋体１８がトレー１７に取り付けられた状態においては、図４に示すように、パッキン３４は被挟持部３６が蓋体１８における外側突部３１の挟持面３１ａとトレー１７における枠状部２１の挟持面２１ａとによって前後から挟持される。このとき被挟持部３６の防水突部３６ａが押し潰され、被挟持部３６によって蓋体１８とトレー１７の間の防水が図られる。
【００６５】
蓋体１８がトレー１７に取り付けられた状態においては、外嵌部３５の挿入部３５ｂがトレー１７における受部２４の挿入凹部２４ａに挿入されると共に外嵌部３５の被押さえ面３５ａが蓋体１８における押さえ突部３２、３２、・・・の押さえ面３２ａ、３２ａ、・・・によって前側からトレー１７にパッキン３４を押し付ける方向へ押さえられる。
【００６６】
回転ダイヤル４は、図５及び図７に示すように、略円板状に形成された回転ベース３８と回転ベース３８の外周面から互いに反対方向に突出された被ロック部３９、３９と回転ベース３８の前面から前方に突出された摘子部４０とから成る。
【００６７】
回転ベース３８の中心部には後方に突出された被支持軸３８ａが設けられている。回転ベース３８の後面側には円環状の被支持溝３８ｂが被支持軸３８ａの外周側に形成されている。回転ベース３８の後面側には円弧状の被挿入溝３８ｃ、３８ｃが被支持溝３８ｂの外周側に周方向に離隔して形成されている。
【００６８】
被ロック部３９、３９は回転ベース３８の外周面における１８０°反対側の位置から突出されている。
【００６９】
摘子部４０は回転ベース３８の直径に沿う方向に延びる形状に形成され、回転ベース３８の中心部を通る位置に設けられ長手方向における両端が回転ベース３８の外周にそれぞれ連続されている。摘子部４０の幅方向における両面の前端部には互いに反対方向に膨らむように突出された引掛部４０ａ、４０ａが設けられている。
【００７０】
このように回転ダイヤル４には摘子部４０に引掛部４０ａ、４０ａが設けられているため、摘子部４０を把持して回転ダイヤル４を回転操作するときに摘子部４０から指が外れ難く、回転ダイヤル４の円滑な回転操作を行うことができる。また、回転ダイヤル４の摘子部４０に引掛部４０ａ、４０ａが設けられていることにより、摘子部４０を把持して開閉体３をケース体２から引き出すときに回転ダイヤル４に対して指が滑り難く、開閉体３のケース体２からの引出を容易かつ確実に行うことができる。
【００７１】
回転ダイヤル４は被支持軸３８ａが蓋体１８の支持環部３０ａの内側に前方から挿入され、ネジ部材２００がワッシャー３００を介して被支持軸３８ａに螺合されることにより蓋体１８に回転可能に支持される（図４参照）。回転ダイヤル４が蓋体１８に支持された状態においては、被支持溝３８ｂに支持環部３０ａが挿入され被挿入溝３８ｃ、３８ｃにそれぞれストッパー部３０ｂ、３０ｂが挿入される。
【００７２】
回転ダイヤル４は被支持軸３８ａと支持環部３０ａの間にゴム等のオーリング４００が配置された状態で蓋体１８に支持され、オーリング４００によって一定のフリクションを有した状態で蓋体１８に対して回転される。
【００７３】
回転ダイヤル４は前方から見て時計回り方向の回転端であるロック位置（図８参照）と反時計回り方向の回転端であるロック解除位置（図９参照）との間で回転される。ロック位置は二つの被ロック部３９、３９がそれぞれ真上と真下に存在する位置であり、ロック解除位置はロック位置に対して所定の角度回転された位置である。
【００７４】
回転ダイヤル４は、被挿入溝３８ｃ、３８ｃの一方の各開口縁がそれぞれ蓋体１８におけるストッパー部３０ｂ、３０ｂの一方の各端縁に係合されて回転が規制されロック位置に保持され（図８参照）、被挿入溝３８ｃ、３８ｃの他方の各開口縁がそれぞれ蓋体１８におけるストッパー部３０ｂ、３０ｂの他方の各端縁に係合されて回転が規制されロック解除位置に保持される（図９参照）。
【００７５】
＜開閉体の移動動作等＞
以下に、開閉体３のケース体２に対する移動動作等について説明する（図２、図１０及び図１１参照）。
【００７６】
回転ダイヤル４が回転自在に支持された開閉体３は、トレー１７の係合突部２５、２５が互いに近付く方向へ弾性変形されてケース体２の開口部１３に前側から挿入され、ケース体２の内部に挿入された状態において係合突部２５、２５が弾性復帰される（図１０参照）。
【００７７】
従って、開閉体３が前方へ移動されケース体２から引き出されたときに、係合突部２５、２５の係合爪２５ａ、２５ａがそれぞれ突状部１２の左右両端部における後面に係合されることにより、ケース体２からの開閉体３の前方への移動が規制され、開閉体３のこの位置が開放位置とされる。
【００７８】
開放位置においてトレー１７の配置空間１７ａに電池５００が挿入されて配置される（図２参照）。電池５００の後面には図示しない端子部が設けられている。電池５００は前斜め上方側から配置空間１７ａに挿入されていき、このとき下面が導入壁１９ａ、１９ａに案内される。従って、導入壁１９ａ、１９ａによって配置凹部１７ａへの挿入時に電池５００の後下がりの傾斜状態が保持され、電池５００の配置空間１７ａに対する挿入を容易に行うことができる。
【００７９】
電池５００が配置空間１７ａに挿入された状態において、電池５００は左右両側面がそれぞれ押さえリブ２２ａ、２２ａ、・・・によって押さえられ前面が導入壁１９ａ、１９ａによって押さえられ、配置空間１７ａにおけるガタツキが規制される。電池５００は後端部が後板部２３の電池挿通孔２３ａに挿通される。
【００８０】
開閉体３はトレー１７が開口部１３から挿入された状態において、トレー１７のラック部２６がケース体２の内部に設けられたダンパーギヤ１１に噛合され（図１０及び図１１参照）、ダンパーギヤ１１から負荷が付与された状態で被ガイド部がガイドレール７ａ、７ａに案内されてケース体２に対して前後方向へ移動される。
【００８１】
従って、開閉体３はダンパーギヤ１１によって移動速度が制御され、ケース体２に対して前方へ移動されたときの係合爪２５ａ、２５ａと突状部１２の後面との接触時における大きな衝撃の発生を防止することができる。特に、電子機器１は壁掛け等の状態で開閉体３の移動方向が上下方向とされて使用される場合もあるが、この場合に開閉体３が下方へ移動されて係合爪２５ａ、２５ａが突状部の後面に接触されたときの係合爪２５ａ、２５ａの破損の防止や開閉体３のケース体２からの下方への脱落が防止される。
【００８２】
開閉体３は開放位置から後方へ移動されることによりケース体２の内部に挿入されていき、後方の移動端である閉塞位置まで移動可能とされる（図１１参照）。開閉体３が閉塞位置まで移動されたときには、電池５００の端子部が後面部９の前面に取り付けられた接続端子に接続される。従って、電池５００から接続端子を介して制御用基板に電力の供給が可能な状態にされる。
【００８３】
上記のように、開閉体３がケース体２に移動自在に支持されることにより、開閉体３がケース体２に対して移動されて蓋体１８によって開口部１３が開閉されるため、パッキン３４によるケース体２と開閉体３の間の防水を容易に行うことができると共にケース体２の内部に対する電池５００等の収容物の収容及び取出を容易に行うことができる。
【００８４】
＜開閉体の移動動作に伴う防水状態＞
次に、ケース体２に対する開閉体３の移動動作に伴う防水状態について説明する（図１２乃至図１４参照）。
【００８５】
開閉体３がケース体２に対して前後方向へ移動されるときには、回転ダイヤル４はロック解除位置に保持されている。
【００８６】
開閉体３が開放位置から後方へ移動されトレー１７がケース体２の内部に収納されていくと、開閉体３の後方への移動に伴ってパッキン３４がケース体２の開口部１３に前側から挿入されていく（図１２参照）。
【００８７】
開口部１３に挿入されていくパッキン３４は非接触部１４ａの内側を通り、密着部３７が周面１４に接触しない状態で後方へ移動される。
【００８８】
さらに開閉体３が後方へ移動されていくと、開閉体３の後方への移動に伴ってパッキン３４における密着部３７の外周部が傾斜部１４ｂに接触され、密着部３７は開閉体３の後方への移動により外周部が外嵌部３５に近付く方向へ弾性変形される（図１３参照）。
【００８９】
引き続き開閉体３が後方へ移動されていくと、開閉体３の後方への移動に伴って密着部３７がさらに外嵌部３５に近付く方向へ弾性変形されて接触部１４ｃに密着される（図１４参照）。従って、パッキン３４によってトレー１７とケース体２の間の防水が図られる。
【００９０】
開閉体３は閉塞位置まで移動され、蓋体１８の全体が開口部１３に挿入され、トレー１７の前板部２０が開口部１３の受け面１３ａに当接又は近接して位置される。
【００９１】
開閉体３が閉塞位置まで移動された状態においては、被ロック部３９、３９がそれぞれケース体２のロック孔１６、１６の側方に位置されており、回転ダイヤル４がロック解除位置からロック位置まで回転されて被ロック部３９、３９がそれぞれロック孔１６、１６に挿入されて係合されることにより、開閉体３がケース体２に閉塞位置においてロックされる。
【００９２】
一方、回転ダイヤル４がロック位置からロック解除位置まで回転されることにより、開閉体３のケース体２に対するロックが解除され、開閉体３を前方へ開放位置まで移動させることが可能とされる。
【００９３】
開閉体３が開放位置へ向けて移動されるときには、パッキン３４は被挟持部３６が挟持面２１ａと挟持面３１ａに挟持されて蓋体１８とトレー１７に保持されているため、パッキン３４がケース体２に貼り付かず蓋体１８とトレー１７から外れず、パッキン３４の密着部３７がケース体２の接触部１４ｃから離隔される。
【００９４】
上記のように、ケース体２には開閉体３の移動時に密着部３７が非接触とされる非接触部１４ａと密着部３７が密着される接触部１４ｃとが形成され、非接触部１４ａが接触部１４ｃよりケース体２における開口部１３の挿入口１５側に位置されている。
【００９５】
従って、開閉体３がケース体２に対して移動されるときに密着部３７がケース体２に接触されない移動区間が存在し、この移動区間においてはパッキン３４を介してケース体２から開閉体３に負荷が付与されないため、開閉体３のケース体２に対する円滑な移動状態を確保することができる。
【００９６】
また、密着部３７が開閉体３の移動方向に対して傾斜されているため、密着部３７が接触部１４ｃと接触されるときに弾性変形し易くなり、開閉体３のケース体２に対する一層円滑な移動状態を確保することができる。
【００９７】
尚、開閉体３が閉塞位置に移動されパッキン３４によってケース体２と開閉体３の間の防水が図られた状態においては、外部環境等によってケース体２の内部空間が大気圧より低い負圧の状態になる可能性がある。この場合には、ケース体２の内外の圧力差により傾斜されている密着部３７に起き上がる方向への力が付与されるため、密着部３７の接触面１４ｃに対する良好な密着状態が確保され、ケース体２の内部空間が負圧の状態になった場合においてもケース体２と開閉体３の間の良好な防水状態を確保することができる。
【００９８】
＜まとめ＞
以上に記載した通り、電子機器１にあっては、開口部１３が形成されたケース体２と、開口部１３を開閉する開閉体３と、防水を図るためのパッキン３４とが設けられ、パッキン３４にトレー１７と蓋体１８によって挟持される被挟持部３６が設けられている。
【００９９】
従って、パッキン３４の被挟持部３６がトレー１７と蓋体１８によって挟持され、開口部１３の開放時にパッキン３４が開閉体３に取り付けられた状態が保持されてケース体２がパッキン３４から離隔されるため、パッキン３４の開閉体３からの外れを防止してケース体２と開閉体３の間の良好な防水性能を確保することができる。
【０１００】
また、蓋体１８にはパッキン３４をトレー１７に押し付ける方向へ押さえる押さえ面３２ａ、３２ａ、・・・が形成され、パッキン３４が蓋体１８によってトレー１７に押し付けられる方向へ押さえられるため、パッキン３４の開閉体３に対する安定した取付状態を確保することができる。
【０１０１】
さらに、パッキン３４に蓋体１８とトレー１７の間の防水を図る防水突部３６ａが設けられているため、防水突部３６ａが蓋体１８に密着されて蓋体１８とトレー１７の間の防水が図られ、パッキン３４によってケース体２と開閉体３の間の防水に加え蓋体１８とトレー１７の間の防水が図られるため、パッキン３４の機能性の向上を図ることができる。
【０１０２】
尚、上記には、防水突部３６ａが被挟持部３６の前面に設けられて蓋体１８に密着される例を示したが、逆に、防水突部３６ａが被挟持部３６の後面に設けられてトレー１７に密着されてもよく、また、防水突部３６ａ、３６ａが被挟持部３６の前後両面に設けられて蓋体１８とトレー１７に密着されてもよい。
【０１０３】
＜その他＞
上記には、開閉体３が前後方向へ移動されてケース体２の開口部１３が開閉される例を示したが、開閉体３が上下方向又は左右方向に移動されて開口部１３が開閉される構成であってもよく、また、開閉体３が任意の軸を支点として回動されて開口部１３が開閉される構成であってもよい。
【符号の説明】
【０１０４】
１…電子機器
２…ケース体
３…開閉体
１３…開口部
１４…周面
１４ａ…非接触部
１４ｃ…接触部
１５…挿入口
１７…トレー
１８…蓋体
３２ａ…押さえ面
３４…パッキン
３６…被挟持部
３６ａ…防水突部
３７…密着部
【図１】
2017220514.tif 000003
【図２】
2017220514.tif 000004
【図３】
2017220514.tif 000005
【図４】
2017220514.tif 000006
【図５】
2017220514.tif 000007
【図６】
2017220514.tif 000008
【図７】
2017220514.tif 000009
【図８】
2017220514.tif 000010
【図９】
2017220514.tif 000011
【図１０】
2017220514.tif 000012
【図１１】
2017220514.tif 000013
【図１２】
2017220514.tif 000014
【図１３】
2017220514.tif 000015
【図１４】
2017220514.tif 000016